(57)【要約】【課題】手摺子の取付構造において、美観を損なうことなく、階段の踏板や床等を施工した後に手摺子を取り付ける。【解決手段】階段の各踏板３及び踊り場４に手摺子２が取り付けられる手摺子の取付構造において、手摺子２はその下端部に、下端面に開口する中空部２ａを有しており、各踏板３及び踊り場４には、取付金物６が取り付けられており、手摺子２は、その中空部２ａに下方から取付金物６が嵌合されることによって、該取付金物６を介して各踏板３及び踊り場４に取り付けられている。【選択図】図１
2006132231.tif 000002
【特許請求の範囲】
【請求項１】
階段の踏板や床等の取付面に手摺子が取り付けられる手摺子の取付構造において、
前記手摺子はその下端部に、下端面に開口する中空部を有しており、
前記取付面には、取付金物が取り付けられており、
前記手摺子は、その中空部に下方から前記取付金物が嵌合されることによって、該取付金物を介して前記取付面に取り付けられていることを特徴とする手摺子の取付構造。
【請求項２】
前記取付金物と、前記取付面との間に金属板が介在していることを特徴とする請求項１に記載の手摺子の取付構造。
【請求項３】
前記金属板は、前記手摺子の下端面と略同じ平面形状を有することを特徴とする請求項２に記載の手摺子の取付構造。
【請求項４】
前記取付金物は、前記取付面に取り付けられる取付部と、この取付部の両端部に対向して立設された一対の立設板部とを備え、
前記一対の立設板部が前記手摺子の中空部の内壁面に当接していることを特徴とする請求項１から３のいずれか一項に記載の手摺子の取付構造。
【請求項５】
前記取付部は、第１止着材によって前記取付面に取り付けられており、
前記手摺子の下端部は、第２止着材によって前記立設板部に取り付けられていることを特徴とする請求項４に記載の手摺子の取付構造。
【発明の詳細な説明】
【技術分野】
【０００１】
本発明は、階段の踏板や床等に手摺子を取り付ける手摺子の取付構造に関する。
【背景技術】
【０００２】
従来より、階段の踏板や床等に手摺を設ける場合、手摺子の根元部側面から取付面に向かって斜めにビス等を打ち込む構造が知られている。また、手摺子を取り付ける取付面の下方に設置された鉄板からビス等を螺合して、手摺子を取り付ける技術も提案されている（例えば、特許文献１参照）。
【特許文献１】特開２００４−１６２５１８号公報
【発明の開示】
【発明が解決しようとする課題】
【０００３】
しかしながら、手摺子の根元部側面から斜め下方にビス等を打ち込む構造では、ビス等の頭部が露出して美観を損なうという問題があった。また、床の下方に鉄板を設置する構造では、フローリングを張る前に手摺子を取り付ける必要があり、階段の踏板の下方に鉄板を設置する構造では、踏板に切欠を設けたり、踏板の下方からビス等を打ち込む必要があるため、両構造とも、施工が煩雑になる上に、急な設計の変更に対応できないという問題があった。
【０００４】
本発明の課題は、手摺子の取付構造において、美観を損なうことなく、階段の踏板や床等を施工した後に手摺子を取り付けることである。
【課題を解決するための手段】
【０００５】
以上の課題を解決するため、請求項１に記載の発明は、例えば図１に示すように、階段の踏板や床等の取付面（例えば、踏板３、踊り場４）に手摺子２が取り付けられる手摺子の取付構造において、
前記手摺子２はその下端部に、下端面に開口する中空部２ａを有しており、
前記取付面（例えば、踏板３、踊り場４）には、取付金物６が取り付けられており、
前記手摺子２は、その中空部２ａに下方から前記取付金物６が嵌合されることによって、該取付金物６を介して前記取付面（例えば、踏板３、踊り場４）に取り付けられていることを特徴としている。
【０００６】
請求項１に記載の発明によれば、階段の踏板や床等の取付面（例えば、踏板３、踊り場４）に取付金物６が取り付けられ、その取付金物６が、手摺子２が有する下端面に開口する中空部２ａに嵌合されることによって、手摺子２が取付金物６を介して取付面（例えば、踏板３、踊り場４）に取り付けられる。従って、取付面（例えば、踏板３、踊り場４）の下方に鉄板を設置したり、取付面（例えば、踏板３、踊り場４）に切欠を設ける必要がないため、取付面（例えば、踏板３、踊り場４）が施工された後に、手摺子２を取り付けることができる。また、取付金物６が手摺子２の中空部２ａに嵌合されて露出しないため、美観を損なうことなく手摺子２を取り付けることができる。
【０００７】
請求項２に記載の発明は、例えば図１に示すように、請求項１に記載の手摺子の取付構造において、前記取付金物６と、前記取付面（例えば、踏板３、踊り場４）との間に金属板（例えば、プレート５）が介在していることを特徴としている。
【０００８】
請求項２に記載の発明によれば、取付金物６と取付面（例えば、踏板３、踊り場４）との間に金属板（例えば、プレート５）が介在している。この金属板（例えば、プレート５）がない場合は、手摺子２の下端面の縁部のみが取付面（例えば、踏板３、踊り場４）に接するため、その縁部が手摺１及び手摺子２の荷重によって取付面（例えば、踏板３、踊り場４）に食い込んで、手摺子２が傾斜して不安定となり、この場合、手摺子２の取り付けを補修する手間がかかるが、取付金物６と取付面（例えば、踏板３、踊り場４）との間に金属板（例えば、プレート５）を介在させることによって、手摺子２の下端面の縁部より、手摺１及び手摺子２の荷重を金属板（例えば、プレート５）が受けることになる。この金属板（例えば、プレート５）は、手摺子２の下端面の縁部に比して、取付面（例えば、踏板３、踊り場４）に接する面積が大きいため、金属板（例えば、プレート５）から取付面（例えば、踏板３、踊り場４）にかかる単位面積当りの荷重は小さくなる。従って、金属板（例えば、プレート５）は取付面（例えば、踏板３、踊り場４）に食い込まなくなり、手摺子２を安定した状態で取り付けることができる。
【０００９】
請求項３に記載の発明は、例えば図１に示すように、請求項１又は２に記載の手摺子の取付構造において、前記金属板（例えば、プレート５）は、前記手摺子２の下端面と略同じ平面形状を有することを特徴としている。
【００１０】
請求項３に記載の発明によれば、金属板（例えば、プレート５）は、手摺子２の下端面と略同じ平面形状を有するため、手摺子２の下端面と略同じ外周を有することになる。よって、金属板（例えば、プレート５）は、手摺子２の下端面に過不足なく当接する。従って、手摺子２及び金属板（例えば、プレート５）の外周面の境界部には不陸がなくなり、手摺子２が取付面（例えば、踏板３、踊り場４）に直接取り付けられたような外観を呈するため、意匠的に優れた手摺子とすることができる。
【００１１】
請求項４に記載の発明は、例えば図１に示すように、請求項１から３のいずれか一項に記載の手摺子の取付構造において、前記取付金物６は、前記取付面（例えば、踏板３、踊り場４）に取り付けられる取付部６ａと、この取付部６ａの両端部に対向して立設された一対の立設板部６ｂとを備え、
前記一対の立設板部６ｂが前記手摺子２の中空部２ａの内壁面２ｂに当接していることを特徴としている。
【００１２】
請求項４に記載の発明によれば、取付金物６は、その取付部６ａが取付面（例えば、踏板３、踊り場４）に取り付けられ、この取付部６ａの両端部には、一対の立設板部６ｂが対向して立設されている。これらの立設板部６ｂが手摺子２の中空部２ａの内壁面２ｂに当接した状態で、取付金物６が手摺子２の中空部２ａに嵌合されるため、取付面（例えば、踏板３、踊り場４）に取り付けられた取付金物６に対して、手摺子２を所定の角度で正確に取り付けることができる。
【００１３】
請求項５に記載の発明は、例えば図１に示すように、請求項４に記載の手摺子の取付構造において、前記取付部６ａは、第１止着材７によって前記取付面（例えば、踏板３、踊り場４）に取り付けられており、
前記手摺子２の下端部は、第２止着材８によって前記立設板部６ｂに取り付けられていることを特徴としている。
【００１４】
請求項５に記載の発明によれば、取付金物６の取付部６ａは、第１止着材７によって取付面（例えば、踏板３、踊り場４）に取り付けられ、手摺子２の下端部は、第２止着材８によって取付金物６の立設板部６ｂに取り付けられている。従って、取付部６ａを取付面（例えば、踏板３、踊り場４）に、手摺子２を立設板部６ｂに、より強固に取り付けることができる。
【発明の効果】
【００１５】
本発明によれば、取付面が施工された後に、手摺子を取り付けることができる。また、取付金物が手摺子の中空部に嵌合されて露出しないため、美観を損なうことなく手摺子を取り付けることができる。
【発明を実施するための最良の形態】
【００１６】
以下、図を参照して本発明を実施するための最良の形態を詳細に説明する。
図２は、本発明に係る手摺子の取付構造を、屋内の階段の手摺１に適用したものである。
【００１７】
手摺子２は、下端面に開口した中空部２ａを有する角パイプからなり、階段の各踏板３及び踊り場４に取り付けられている。また、これらの手摺子２の上端部には手摺１が設けられている。
【００１８】
各踏板３には、手摺子２の下端面の形状に対応した長方形状を有するプレート５が当接され、このプレート５には、プレート孔５ａが２つ穿設されている。
【００１９】
プレート５の上には取付金物６が設置されている。この取付金物６は、平板状の取付部６ａと、取付部６ａの両端部に対向して立設する一対の立設板部６ｂとからなり、この取付部６ａがプレート５に当接している。また、取付部６ａには、プレート５のプレート孔５ａに対応する位置に下孔６ｃが２つ穿設されており、これらの下孔６ｃ及びプレート孔５ａを挿通してネジ等の第１止着材７が各踏板３にねじ込まれて、プレート５が各踏板３に取り付けられ、取付金物６がプレート５に取り付けられている。
【００２０】
図１（ａ）に示すように、手摺子２の中空部２ａの内壁面２ｂには、取付金物６が有する一対の立設板部６ｂが当接した状態で、取付金物６が手摺子２に嵌合されている。これらの立設板部６ｂと当接する手摺子２の内壁面２ｂには、手摺子２の外側に向かって径が大きくなる手摺子孔２ｃがそれぞれ穿設されており、また、２つの立設板部６ｂには、手摺子孔２ｃの最小径と略同径の孔６ｃがそれぞれ穿設されており、これらの孔６ｃは、手摺子２に穿設された手摺子孔２ｃの位置にそれぞれ対応している。また、これらの手摺子孔２ｃ及び孔６ｃには皿ビス等の第２止着材８が挿通され、立設板部６ｂの内面に固定されたナット９に螺合されることによって、手摺子２が取付金物６に取り付けられている。
【００２１】
図３に示すように、踊り場４には、吹き抜け部に沿った踊り場４の縁部上面に長尺な下地プレート９が当接され、ネジ等の第３止着材１１によって固定されている。この下地プレート９には、一対の下地プレート孔９ａが、手摺子２が取り付けられる間隔に複数対穿設されている。
【００２２】
下地プレート９には、プレート５が当接され、このプレート５の上に取付金物６が設置され、この取付金物６に手摺子２が取り付けられる。ここで、プレート５及び取付金物６は踏板３で使用されるものと同一であるので、その構成の詳細説明は省略する。
【００２３】
下地プレート９には断面Ｌ字型の化粧材１０が取り付けられている。この化粧材１０は、手摺子２と対応する部分にプレート５と同じ大きさの切欠部１０ａが複数設けられており、これらの切欠部１０ａがプレート５に係合している。
【００２４】
次に、以上のように構成される手摺子２の各踏板３への取付構造の施工手順を詳細に説明する。
まず、手摺１を設ける個所を選定した後、各踏板３の所定の位置にプレート５を設置し、その上に取付金物６を、その取付部６ａをプレート５に当接させて載置する。そして、下孔６ｃ及びプレート孔５ａを挿通してビス等の第１止着材７を各踏板３に打ち込み、プレート５を各踏板３に取り付けるとともに、取付金物６をプレート５に取り付ける。
【００２５】
続いて、図１に示すように、手摺子２の中空部２ａの内壁面２ｂに、取付金物６の２つの立設板部６ｂを当接させながら、取付金物６を手摺子２の中空部２ａに嵌合する。このとき、手摺子２の下端面は、プレート５の向きに合わせ、両者がはみ出ることなく当接するようにする。そして、手摺子孔２ｃ及び孔６ｃより皿ビス等の第２止着材８を挿通し、予め取付金物６の立設板部６ｂの内面に固定されたナット９に螺合する。
【００２６】
次に、手摺子２の踊り場４への取付構造の施工手順を詳細に説明する。
まず、踊り場４の施工時に、踊り場４の所定の位置にビス等の第３止着材１１によって下地プレート９を固定する。この下地プレート９には、一対の下地プレート孔９ａを、手摺子２を取り付ける間隔に複数対穿設しておく。
【００２７】
下地プレート９の上にプレート５を設置し、その上に取付金物６を、その取付部６ａをプレート５に当接させて載置する。そして、下孔６ｃ、プレート孔５ａ及び下地プレート孔９ａを挿通してビス等の第１止着材７を踊り場４にねじ込み、プレート５を下地プレート９に取り付けるとともに、取付金物６をプレート５に取り付ける。
【００２８】
その後、プレート５と同じ大きさの切欠部１０ａが複数設けられた断面Ｌ字型の化粧材１０を、下地プレート９に取り付ける。このとき、切欠部１０ａがプレート５に係合するようにする。その後の手順については、手摺子２を各踏板３に取り付ける場合と同様であるため、その詳細説明は省略する。
【００２９】
各踏板３及び踊り場４に手摺子２取り付けた後、手摺子２の上端部に手摺１を取り付ける。
【００３０】
以上の実施例によれば、階段の各踏板３及び踊り場４に取付金物６が取り付けられ、その取付金物６が、手摺子２が有する下端面に開口する中空部２ａに嵌合されることによって、手摺子２が取付金物６を介して各踏板３及び踊り場４に取り付けられる。従って、各踏板３及び踊り場４の下方に鉄板を設置したり、各踏板３及び踊り場４に切欠を設ける必要がないため、各踏板３及び踊り場４が施工された後に、手摺子２を取り付けることができる。また、取付金物６が手摺子２の中空部２ａに嵌合されて露出しないため、美観を損なうことなく手摺子２を取り付けることができる。
【００３１】
さらに、取付金物６と各踏板３及び踊り場４との間にプレート５が介在している。このプレート５がない場合は、手摺子２の下端面の縁部のみが各踏板３及び踊り場４に接するため、その縁部が手摺１及び手摺子２の荷重によって各踏板３及び踊り場４に食い込んで、手摺子２が傾斜して不安定となり、この場合、手摺子２の取り付けを補修する手間がかかるが、取付金物６と各踏板３及び踊り場４との間にプレート５を介在させることによって、手摺子２の下端面の縁部より、手摺１及び手摺子２の荷重をプレート５が受けることになる。このプレート５は、手摺子２の下端面の縁部に比して、各踏板３及び踊り場４に接する面積が大きいため、プレート５から各踏板３及び踊り場４に取り付けられた下地プレート９にかかる単位面積当りの荷重は小さくなる。従って、プレート５は踏板３及び踊り場４に食い込まなくなり、手摺子２を安定した状態で取り付けることができる。
【００３２】
また、プレート５は、手摺子２の下端面と略同じ平面形状を有するため、手摺子２の下端面と略同じ外周を有することになる。よって、プレート５は、手摺子２の下端面に過不足なく当接する。従って、手摺子２及びプレート５の外周面の境界部には不陸がなくなり、手摺子２が各踏板３及び踊り場４に直接取り付けられたような外観を呈するため、意匠的に優れた手摺子とすることができる。
【００３３】
取付金物６は、その取付部６ａが各踏板３及び踊り場４に取り付けられ、この取付部６ａの両端部には、一対の立設板部６ｂが対向して立設されている。これらの立設板部６ｂが手摺子２の中空部２ａの内壁面２ｂに当接した状態で、取付金物６が手摺子２の中空部２ａに嵌合されるため、各踏板３及び踊り場４に取り付けられた取付金物６に対して、手摺子２を所定の角度で正確に取り付けることができる。
【００３４】
さらに、取付金物６の取付部６ａは、第１止着材７によって踏板３及び踊り場４に取り付けられ、手摺子２の下端部は、第２止着材８によって取付金物６の立設板部６ｂに取り付けられている。従って、取付部６ａを各踏板３及び踊り場４に、手摺子２を立設板部６ｂに、より強固に取り付けることができる。
【００３５】
また、踊り場４に取り付けられる下地プレート９に前もって下地プレート孔９ａを穿設し、これらの下地プレート孔９ａに手摺子２が取り付けられるため、手摺子２を取り付ける位置決め作業を容易に行うことができる。さらに、下地プレート９には化粧材１０が取り付けられるため、下地プレート９の露出を防ぐことができ、美観を損なうことなく手摺子２を取り付けることができる。
【００３６】
なお、以上の実施形態においては、屋内の階段の手摺としたが、本発明はこれに限定されるものではなく、吹き抜け部や廊下に設けた手摺等でも良い。
また、各部材の取付方法等も任意であり、その他、具体的な細部構造等についても適宜に変更可能であることは勿論である。
【図面の簡単な説明】
【００３７】
【図１】本発明を適用した手摺子の取付構造の実施形態の構成を示す断面図で、（ａ）は正面断面図、（ｂ）は（ａ）図におけるＡ−Ａ断面図である。
【図２】本発明を適用した手摺子の取付構造の実施形態の構成を示す斜視図である。
【図３】本発明を適用した階段の踊り場における手摺子の取付構造の実施形態の構成を示す分解斜視図である。
【符号の説明】
【００３８】
１  手摺
２  手摺子
２ａ  中空部
２ｂ  内壁面
３  踏板
４  踊り場
５  プレート
６  取付金物
６ａ  取付部
６ｂ  立設板部
７  第１止着材
８  第２止着材
【図１】
2006132231.tif 000003
【図２】
2006132231.tif 000004
【図３】
2006132231.tif 000005